(57)【特許請求の範囲】
【請求項１】
遊技機の傾斜角度を検出する傾斜計であって、
前記遊技機の盤面を覆う透明板に前記傾斜計を固定するための、前記透明板に固定可能な固定部と、
前記透明板を測定面とし、前記透明板に当接して前記透明板の傾斜を測定し、前記透明板の傾斜によって前記遊技機の傾斜を検出するセンサ部と、
前記センサ部で測定された結果を少なくとも表示手段で表示して使用者に報知する報知部と、
前記センサ部での測定結果に応じて、前記報知部を制御する制御部と、
を具備し、
前記透明板に前記固定部によって前記傾斜計を固定した時、
前記センサ部は、遊技可能に設置された前記遊技機の、前記固定部を挟んで少なくとも左側と右側に、略水平方向で複数個所に配置され、
前記遊技機の左側と右側に設置された各々の前記センサ部が傾斜の測定結果を前記制御部へ出力し、前記制御部は、前記表示手段に測定結果を表示させるとともに、複数の前記センサ部から出力された複数個所の測定結果に基づいて報知が必要な場合に前記報知部を制御することを特徴とする傾斜計。
【請求項２】
遊技機の傾斜角度を検出する傾斜計であって、
前記遊技機の盤面を覆う透明板に前記傾斜計を固定するための、前記透明板に固定可能な固定部と、
前記透明板を測定面とし、前記透明板に当接して前記透明板の傾斜を測定し、前記透明板の傾斜によって前記遊技機の傾斜を検出する、少なくとも第１センサと第２センサの２つを有するセンサ部と、
前記センサ部で測定された結果を少なくとも表示手段で表示して使用者に報知する報知部と、
前記センサ部での測定結果に応じて、前記報知部を制御する制御部と、
を具備し、
前記遊技機の傾斜を前記傾斜計によって測定する時には、前記センサ部の前記第１センサと前記第２センサが略水平方向で、前記固定部を挟んで前記遊技機の左右に各々配置され、前記第１センサと前記第２センサの各々が、傾斜の測定結果を前記制御部へ出力し、前記制御部は、前記第１センサと前記第２センサの各々に対応する前記表示手段にそれぞれ測定結果を表示させるとともに、前記第１センサと前記第２センサから出力された測定結果に基づいて報知が必要な場合に前記報知部を制御することを特徴とする傾斜計。
【請求項３】
前記センサ部は、傾斜計本体に弾性部材によって揺動可能に支持され、
前記センサ部の測定面である前記透明板と当接する、前記センサ部の当接面には、少なくとも３か所の突起が設けられ、
傾斜計本体からの前記センサ部の突出量が、傾斜計本体からの前記固定部の突出量よりも大きいことを特徴とする請求項１または請求項２に記載の傾斜計。
【請求項４】
前記制御部は、予め設定された基準傾斜値と、前記センサ部で測定された測定傾斜値とを比較し、前記報知部において、前記基準傾斜値に対する前記測定傾斜値の正負を表示可能であることを特徴とする請求項１から請求項３のいずれかに記載の傾斜計。
【請求項５】
前記固定部は吸盤であり、
前記吸盤を操作する固定用レバーと、解除部と、をさらに具備し、
前記固定用レバーによって、前記固定部を前記測定面に吸着させることが可能であるとともに、前記解除部によって、前記測定面に対する前記固定部の吸着を解除可能であることを特徴とする請求項１から請求項４のいずれかに記載の傾斜計。
【請求項６】
請求項１から請求項５のいずれかに記載の傾斜計を用いて、前記遊技機の傾斜を測定することを特徴とする遊技機傾斜測定方法。
【発明の詳細な説明】
【技術分野】
【０００１】
本発明は、例えばパチンコなどの遊技機の傾斜を測定するための遊技機用の傾斜計等に関するものである。
【背景技術】
【０００２】
通常、例えば、パチンコなどの遊技機は、安定して玉を流下させるため、鉛直方向に対して適切な傾斜角度で設置される。このため、遊技機を設置する際に、適切な傾斜角度とするための傾斜計が用いられる。
【０００３】
このような、遊技機の傾斜を計測する傾斜計としては、例えば、遊技機の盤面に傾斜計の脚を当接させて、水準器の目視によって傾斜を確認する方法がある（特許文献１）。
【０００４】
また、島枠と台枠との間に傾斜計を吊り下げることが可能な吊り下げ金具を備えた傾斜計がある（特許文献２）。
【０００５】
また、遊技機の盤面に傾斜測定器が設置され、傾斜角度をデジタル表示するものがある（例えば特許文献３）。
【先行技術文献】
【特許文献】
【０００６】
【特許文献１】特開２００９−１９５５６４号公報
【特許文献２】実用新案登録第３１８７０５号公報
【特許文献３】特開２００６−４２９１５号公報
【発明の概要】
【発明が解決しようとする課題】
【０００７】
しかし、特許文献１のように、水準器を目視で確認する方法では、使用者による読み取り角度が異なったり、適切な傾斜角度に精度よく調整することが困難である。
【０００８】
また、特許文献２のように吊り下げ金具を用いれば、ハンズフリーで傾斜角度を測定することが可能であるが、特許文献２も特許文献１と同様に、水準器を用いたものであり、精度が悪い。
【０００９】
一方、特許文献３のように傾斜角度をデジタル表示することで、精度は高くなるが、遊技機ごとに計測器を設置したのでは、コスト増を招く。したがって、一台の傾斜計で、複数の遊技機を正確に計測可能な方法が求められる。
【００１０】
本発明は、このような問題に鑑みてなされたもので、精度よく遊技機の傾斜を計測することが可能であるとともに、作業性にも優れた遊技機用の傾斜計等を提供することを目的とする。
【課題を解決するための手段】
【００１１】
前述した目的を達するために第１の発明は、遊技機の傾斜角度を検出する傾斜計であって、前記遊技機の盤面を覆う透明板に前記傾斜計を固定するための、前記透明板に固定可能な固定部と、前記透明板を測定面とし、前記透明板に当接して前記透明板の傾斜を測定し、前記透明板の傾斜によって前記遊技機の傾斜を検出するセンサ部と、前記センサ部で測定された結果を少なくとも表示手段で表示して使用者に報知する報知部と、前記センサ部での測定結果に応じて、前記報知部を制御する制御部と、を具備し、前記透明板に前記固定部によって前記傾斜計を固定した時、前記センサ部は、遊技可能に設置された前記遊技機の、前記固定部を挟んで少なくとも左側と右側に、略水平方向で複数個所に配置され、前記遊技機の左側と右側に設置された各々の前記センサ部が傾斜の測定結果を前記制御部へ出力し、前記制御部は、前記表示手段に測定結果を表示させるとともに、複数の前記センサ部から出力された複数個所の測定結果に基づいて報知が必要な場合に前記報知部を制御することを特徴とする傾斜計である。
【００１２】
また、第２の発明は、遊技機の傾斜角度を検出する傾斜計であって、前記遊技機の盤面を覆う透明板に前記傾斜計を固定するための、前記透明板に固定可能な固定部と、前記透明板を測定面とし、前記透明板に当接して前記透明板の傾斜を測定し、前記透明板の傾斜によって前記遊技機の傾斜を検出する、少なくとも第１センサと第２センサの２つを有するセンサ部と、前記センサ部で測定された結果を少なくとも表示手段で表示して使用者に報知する報知部と、
前記センサ部での測定結果に応じて、前記報知部を制御する制御部と、を具備し、前記遊技機の傾斜を前記傾斜計によって測定する時には、前記センサ部の前記第１センサと前記第２センサが略水平方向で、前記固定部を挟んで前記遊技機の左右に各々配置され、前記第１センサと前記第２センサの各々が、傾斜の測定結果を前記制御部へ出力し、前記制御部は、前記第１センサと前記第２センサの各々に対応する前記表示手段にそれぞれ測定結果を表示させるとともに、前記第１センサと前記第２センサから出力された測定結果に基づいて報知が必要な場合に前記報知部を制御することを特徴とする傾斜計である。
【００１３】
前記センサ部は、傾斜計本体に弾性部材によって揺動可能に支持され、前記センサ部の測定面である前記透明板と当接する、前記センサ部の当接面には、少なくとも３か所の突起が設けられ、傾斜計本体からの前記センサ部の突出量が、傾斜計本体からの前記固定部の突出量よりも大きくてもよい。
【００１７】
前記制御部は、予め設定された基準傾斜値と、前記センサ部で測定された測定傾斜値とを比較し、前記報知部において、前記基準傾斜値に対する前記測定傾斜値の正負を表示可能であることが望ましい。
【００１９】
前記固定部は吸盤であり、前記吸盤を操作する固定用レバーと、解除部と、をさらに具備し、前記固定用レバーによって、前記固定部を前記測定面に吸着させることが可能であるとともに、前記解除部によって、前記測定面に対する前記固定部の吸着を解除可能であることが望ましい。
【００２０】
第１または第２の発明によれば、固定部によって遊技機に傾斜計を固定することができるため、傾斜測定をハンズフリーで行うことができる。また、センサ部によって傾斜を計測し、報知部によって測定結果を報知するため、作業者が、傾斜を容易に把握することができる。
【００２１】
また、センサ部が複数個所に配置されることで、遊技機の捻じれや歪みなどの影響を受けにくく、精度よく遊技機の傾斜を測定することができる。
【００２２】
また、センサ部が、揺動可能に傾斜計本体に支持されることで、確実にセンサ部を測定対象に対して当接し、精度よく傾斜を測定することができる。
【００２３】
また、センサ部と固定部とが併設され、固定部の固定方向とセンサ部の測定方向が同一方向であれば、遊技機への傾斜計の固定と測定を同一測定面に対して行うことができる。このため、作業性が優れる。
【００２４】
この際、傾斜計本体からのセンサ部の突出量を、固定部の突出量よりも大きくすることで、確実にセンサ部を測定面に当接させることができる。
【００２５】
また、センサ部の当接面に少なくとも３か所の突起を設けることで、センサ部と測定面との間に異物等が挟まることにより誤差が生じることを抑制することができる。
【００２６】
また、制御部によって、予め設定された基準傾斜値とセンサ部で測定された測定傾斜値とを比較し、報知部において、基準傾斜値に対する傾斜方向の正負を表示させることで、作業者が、遊技機の傾斜を容易に調整することができる。
【００２７】
この際、報知部を複数のランプとし、基準傾斜値に対する測定傾斜値の傾き方向や、基準傾斜値に対する測定傾斜値の差の程度を、ランプの点灯方法の違い（例えば異なるランプの点灯や連続点灯と点滅）によって報知すれば、作業者が遊技機の傾斜を視覚的に把握することができ、遊技機の傾斜調整を容易に行うことができる。
【００２８】
また、固定部を吸盤とし、吸盤を操作する固定用レバーによって、固定部を測定面に吸着させることが可能であるとともに、解除部によって、測定面に対する固定部の吸着を解除可能であれば、傾斜計の取り付けおよび取り外し作業が容易である。
【００２９】
第３の発明は、第１または第２の発明にかかる傾斜計を用いて、前記遊技機の傾斜を測定することを特徴とする遊技機傾斜測定方法である。
【００３１】
第３の発明によれば、盤面を覆う透明板（例えばガラス扉）にセンサ部を当接し、ガラス板で遊技機の傾斜を測定するため、計測時に、透明板を開けて、中の盤面に傾斜計を当接させる必要がない。このため、作業性が良好である。また、盤面の釘などの凹凸の影響を受けないため、任意の場所（例えば遊技機の略中央）などで、測定を行うことができる。また、計測時に、誤って釘等に触れてしまうこともない。
【００３２】
また、センサ部が固定部の両側に複数個所に配置される場合に、複数のセンサ部を略水平方向に併設して、透明板の傾斜を測定すれば、遊技機の捻じれなどによる左右の傾斜のばらつきの影響を受けにくく、精度よく、遊技機の傾斜を計測することができる。
【発明の効果】
【００３３】
本発明によれば、精度よく傾斜を計測することが可能であるとともに、作業性にも優れた遊技機用の傾斜計等を提供することができる。
【図面の簡単な説明】
【００３４】
【図１】傾斜計１の後方斜視図。
【図２】傾斜計１の前方斜視図。
【図３】傾斜計１の側面図。
【図４】傾斜計１の平面図。
【図５】傾斜計１の正面図。
【図６】センサ部５の拡大図。
【図７】固定部３の動作を示す図。
【図８】傾斜計１の構成を示すブロック図。
【図９】傾斜計１の使用状態を示す図。
【図１０】傾斜計１の制御工程を示すフローチャート。
【図１１】報知部１７の点灯状態を示す図。
【図１２】（ａ）、（ｂ）は、傾斜計１ａの正面図。
【発明を実施するための形態】
【００３５】
以下、図面を参照しながら、本発明の第１の実施形態について説明する。図１〜図５は、傾斜計１を示す図であり、図１は後方斜視図、図２は前方斜視図、図３は側面図、図４は平面図、図５は正面図である。なお、以下の説明において、互いに直交する３方向を、Ｘ方向、Ｙ方向およびＺ方向とする。本実施の形態では、Ｘ方向を前後方向とするとともに、測定対象に当接して計測を行うＸ１方向側を傾斜計１の前方（前側）とし、その反対側であって作業者が手にするＸ２方向側を傾斜計１の後方（後ろ側）とする。また、Ｙ方向を左右方向（傾斜計１の幅方向）とし、Ｚ方向を上下方向（傾斜計１の高さ方向）とする。
【００３６】
傾斜計１は、パチンコ台などの遊技機用の傾斜計である。傾斜計１は、主に、傾斜計本体２、固定部３、センサ部５、取手部７、固定用レバー９、解除部１１、報知部１７、操作部１９等から構成される。なお、本発明の傾斜計は、図示した例には限られず、各部の形状や配置は、適宜変更が可能である。
【００３７】
傾斜計本体２の内部には、図示を省略する制御部や、センサおよび制御部を駆動するバッテリー等が収容される。傾斜計本体２の後方には、取手部７が設けられる。取手部７は、作業者が手にする部位である。
【００３８】
図３に示すように、取手部７の前方には、固定用レバー９が設けられる。固定用レバー９は、固定部３を動作させる部位である。すなわち、作業者が固定用レバー９を引くと、固定部３が動作して、固定部３が測定対象面に固定され、傾斜計１を遊技機に固定することができる。
【００３９】
取手部７の上部には、解除部１１が設けられる。解除部１１は、固定用レバー９が操作されて、固定部３が固定状態にある状態を解除する。すなわち、固定部３が測定面に固定されている状態で、作業者が解除部１１を操作すると、固定部３の固定が解除され、傾斜計１を遊技機から取り外すことができる。なお、固定部３の動作については詳細を後述する。
【００４０】
取手部７の上方には、操作部１９（図１参照）が配置される。操作部１９は、傾斜計１の電源操作および動作モード等を設定する部位である。例えば、操作部１９によって、後述する基準傾斜値等を設定することができる。
【００４１】
傾斜計本体２の上面には、ディスプレイ１３（図１参照）が配置される。ディスプレイ１３は、操作部１９によって操作された内容や、設定値、測定値等を表示可能である。
【００４２】
図４に示すように、ディスプレイ１３の両側には、報知部１７が一対配置される。それぞれの報知部１７は、複数のランプで構成される。本実施形態では、適切値ランプ１５ａ、マイナス側ランプ１５ｂ、プラス側ランプ１５ｃからなる。なお、ランプの個数や配置は図示した例には限られない。
【００４３】
適切値ランプ１５ａは、傾斜計本体２の前後方向に対して、マイナス側ランプ１５ｂとプラス側ランプ１５ｃとで挟まれた位置に配置される。適切値ランプ１５ａは、例えば緑色のランプであり、傾斜計１の傾斜角度が、設定された基準傾斜値に対して所定の範囲内の際に連続点灯する。
【００４４】
マイナス側ランプ１５ｂは、適切値ランプ１５ａの前方側（センサ部５側）に配置され、例えば赤色のランプである。マイナス側ランプ１５ｂは、傾斜計１の傾斜角度が、設定された基準傾斜値に対して所定の範囲を超えてマイナス側に傾いている際に連続点灯または点滅する。ここで、傾斜計１のマイナス側の傾斜とは、傾斜計１の上方が、基準角度よりも前方に傾いた状態（図３のＧ）とする。
【００４５】
プラス側ランプ１５ｃは、適切値ランプ１５ａの後方側（取手部７側）に配置され、例えば赤色のランプである。プラス側ランプ１５ｃは、傾斜計１の傾斜角度が、設定された基準傾斜値に対して所定の範囲を超えてプラス側に傾いている際に連続点灯または点滅する。ここで、傾斜計１のプラス側の傾斜とは、傾斜計１の上方が、基準角度よりも後方に傾いた状態（図３のＨ）とする。
【００４６】
図５に示すように、傾斜計本体２の前面には、センサ部５が配置される。図示した例では、センサ部５は、傾斜計本体２の幅方向に一対配置される。なお、センサ部５の配置数や位置は図示した例には限られない。例えば、センサ部５は、傾斜計本体２の前面に少なくとも一つ配置されればよく、３つ以上の複数個所に配置してもよい。
【００４７】
センサ部５の内部には、例えば一軸傾斜センサが収容されており、センサ部５を測定面に当接することで測定面の傾斜を検出することができる。前述した報知部１７は、それぞれのセンサ部５毎に配置される。すなわち、それぞれの報知部１７は、対応するそれぞれのセンサ部５で測定された傾斜結果に応じて、使用者に測定結果を報知することができる。なお、センサ部５と報知部１７は一対で構成することに限らず、例えば、複数のセンサ部５で測定された傾斜結果を制御部２３で判断し、その判断結果を１つの報知部１７で報知するようにしてもよい。
【００４８】
図６は、センサ部５の拡大図である。センサ部５は、傾斜計本体２の内部において、弾性部材２１によって支持される。図示した例では、センサ部５の側面の３か所が、傾斜計本体２に対して弾性部材２１によって支持される。このようにすることで、センサ部５は、傾斜計本体２に対して自由に揺動（傾斜および出没）することができる。このため、傾斜計本体２の姿勢の影響を受けずに、正確に測定対象面にセンサ部５が当接し、測定対象面の傾斜を測定することができる。
【００４９】
また、遊技機の測定面に当接するセンサ部５の前面には、複数（少なくとも３か所）の突起５ａが設けられる。したがって、センサ部５は、突起５ａの先端のみが測定面と接触し、突起５ａ以外の部位では、センサ部５と測定面との間に隙間が形成される。このようにすることで、センサ部５と測定面との間に微小な異物等が挟まりこみ、傾斜誤差が生じることを抑制することができる。
【００５０】
傾斜計本体２の前面には、センサ部５に挟み込まれるように、固定部３が設けられる。すなわち、センサ部５は、固定部３の両側に併設される。前述した様に、固定部３は、測定面に対して、傾斜計１を固定するための部位である。したがって、傾斜計１は、固定部３の固定方向と、センサ部５の測定方向が同一方向に向けて配置される。
【００５１】
図７（ａ）、図７（ｂ）は、固定部３の断面図であり、固定部３の動作を示す図である。本実施形態では、固定部３は、吸盤２７と可動部２９等から構成される。吸盤２７の後方であって、吸盤２７の略中央に、可動部２９が固定される。可動部２９は、前後方向に可動である。また、吸盤２７の外周部は、少なくとも一部が傾斜計本体２に固定される。
【００５２】
次に、固定部３の動作について説明する。まず、図７（ａ）に示すように、吸盤２７の前面を測定面（図中Ｂ）に接触させる。この状態では、可動部２９は、図示を省略した弾性部材によって前方に押し付けられている（図中矢印Ｃ）。
【００５３】
吸盤２７を測定面に押し付けた状態で、前述した固定用レバー９を操作することで、可動部２９が後方に引き戻される（図中矢印Ｄ）。この際、吸盤２７の外周部は、少なくとも一部が傾斜計本体２に固定されているため、吸盤２７の中央部のみが後方に変形する。この結果、吸盤２７を測定面に対して吸着状態とすることができる。すなわち、固定部３が、測定面に固定される。なお、可動部２９は、後方に引き戻された状態で、図示を省略した係止部によって係止される。このため、前述した弾性部材が作用した状態でも、吸着状態を維持することができる。
【００５４】
次に、吸盤２７が測定面に吸着した状態で解除部１１を操作することで、可動部２９が再び前方に押し出される。すなわち、前述した係止部における係止状態が解除される。このため、可動部２９は、前述した弾性部材によって前方に押し出される。このため、吸盤２７による吸着状態が解除される。すなわち、固定部３による測定面への固定が解除される。
【００５５】
ここで、吸盤２７の前面は、通常時（図７（ａ）の状態）において、フラットではなく、中心近傍がやや突出した湾曲形状である。このため、吸盤２７が吸着した状態から可動部２９が前方に押し出されると、吸盤２７の中央部近傍が最も前方に突出し、測定面を押し付ける。このため、吸盤２７と測定面との間に密閉空間が形成されず、確実に吸盤２７の吸着を解除することができる。
【００５６】
ここで、図４に示すように、傾斜計本体２の前面からのセンサ部５の突出量（突起５ａ先端における突出量）は、傾斜計本体２の前面からの固定部３の突出量よりも大きい。すなわち、センサ部５の接触面（図中Ａ）に対して、固定部３が前方にはみ出すことがない。このため、傾斜計１を測定対象に接触させる際に、センサ部５を測定面に優先的に接触させることができる。また、センサ部５は、前述した様に、傾斜計本体２に対して自由に揺動するため、固定部３による固定時にも、センサ部５と測定面との接触が維持される。
【００５７】
次に、傾斜計１を用いた遊技機の傾斜計測方法について説明する。図８は、傾斜計１を遊技機２６の測定面に固定した状態を示す図である。傾斜を測定する測定面は、実際玉が流下する面（盤面）と略平行な面とする。傾斜計１は、遊技機２６の盤面を覆う透明板２５に固定される。すなわち、透明板２５は、盤面と略平行な面を有する。透明板２５は、例えばガラス扉である。なお、透明板２５は、着色された半透明である物を含み、透明板２５を透過して盤面を視認可能なものを含む。また、透明や半透明に限らず、遊技台の筐体部分（ガラス扉以外）を使用してもよい。
【００５８】
前述した様に、傾斜計１を透明板２５に当接させた状態で、固定用レバー９を操作すると、固定部３（吸盤２７）が、透明板２５に吸着し、傾斜計１が遊技機２６に固定される。この際、前述した様に、センサ部５が透明板２５に当接し、透明板２５の傾斜を測定することができる。このように、本発明では、透明板２５を開けて盤面において傾斜を測定するのではなく、透明板２５の傾斜を測定することで、遊技機２６の傾斜を測定可能である。
【００５９】
この際、複数のセンサ部５は、遊技機２６に対して略水平方向に併設される。すなわち、透明板２５（遊技機２６）の幅方向の複数点で透明板２５の傾斜が測定される。このため、透明板２５の捻じれや歪み等による、遊技機２６の左右の傾斜バラつきを含めて、精度よく遊技機２６の傾斜を測定することができる。
【００６０】
また、傾斜計１は、透明板２５に固定されているため、作業者は、遊技機２６の傾斜調整作業において、傾斜計１を押さえておく必要がない。このため、傾斜計１による測定結果を見ながら、両手で、遊技機２６の傾斜調整を行うことができる。なお、傾斜計１によって測定された遊技機２６の傾斜によって、遊技機２６の傾斜を調整する方法については後述する。
【００６１】
遊技機２６の傾斜測定（遊技機２６の傾斜調整）が終了すると、作業者は、傾斜計１の解除部１１を操作して、傾斜計１を遊技機２６から取り外す。以上により、傾斜計１による遊技機２６の傾斜測定作業（遊技機２６の傾斜調整作業）が終了する。
【００６２】
次に、傾斜計１の制御方法について説明する。図９は、傾斜計１の構造を示すブロック図である。傾斜計１は、センサ部５、報知部１７、操作部１９の各構成を制御するための制御部２３を具備する。制御部２３は、例えばコンピュータであり、ＣＰＵおよび各種情報が記憶されるＲＯＭやＲＡＭ（記憶部）などからなる。
【００６３】
操作部１９では、傾斜計１の運転モードや後述する基準傾斜値などを設定可能である。傾斜計１の運転モードとは、例えば、測定対象の傾斜角度の絶対値を測定するモードと、後述する遊技機の傾斜調整を行うために基準傾斜値との比較を行う調整モードなどを選択可能である。また、遊技機の調整モードにおいては、通常調整モードと、高精度調整モードなどを選択可能である。なお、各モードの選択時や、基準傾斜値の設定時には、制御部２３は、ディスプレイ１３にその内容を表示する。
【００６４】
センサ部５で測定された傾斜値は、制御部２３が取得する。例えば、測定モードである場合には、制御部２３は、取得された測定傾斜値をディスプレイ１３に表示する。また、調整モードである場合には、制御部２３は、センサ部５で測定された測定傾斜値に基づいて、報知部１７を制御する。
【００６５】
次に、調整モードにおける、制御部２３の制御フローについて説明する。図１０は、制御部２３の制御フローを示すフローチャートである。まず、制御部２３に対して、運転モードおよび基準傾斜値等が設定される（ステップ１００）。設定された情報は制御部２３に記憶される。ここで、基準傾斜値とは、遊技機２６の目標とすべき傾斜値（傾斜角度）であり、鉛直方向を基準として、遊技機２６の高さ（例えば８１０ｍｍ）に対する水平方向変位量である。
【００６６】
制御部２３において各種の設定が終了すると、測定が開始される（ステップ１０１）。すなわち、作業者は、前述した方法で、傾斜計１を遊技機２６の透明板２５に固定する。なお、後述する遊技機２６の傾斜調整を行わない場合など、傾斜計１を固定せずに手で保持したまま以下の手順を行ってもよい。
【００６７】
次に、制御部２３は、それぞれのセンサ部５で測定された測定傾斜値を取得し、測定傾斜値とあらかじめ設定された基準傾斜値とを比較する（ステップ１０２）。この際、制御部２３は、必要に応じて、センサ部５内の傾斜センサの出力を、前述した遊技機２６の傾斜値に変換し、測定傾斜値と基準傾斜値とを比較する。
【００６８】
次に、制御部２３は、測定傾斜値が、基準傾斜値±αの範囲内であるかどうかを判定する（ステップ１０３）。ここで、αは、許容誤差範囲であり、予め設定されている。なお、許容誤差範囲は、常に一定であっても良く、ステップ１００において設定可能であってもよい。また、通常調整モードと高精度調整モードとでαの値を変えてもよい。例えば、通常調整モードではα＝０．０３とし、高精度調整モードでは、α＝０．０１とする。
【００６９】
なお、測定傾斜値が基準傾斜値に対して所定の範囲内（±α）である場合には、制御部２３は、図１１（ａ）に示すように、報知部１７の適切値ランプ１５ａを連続点灯する（ステップ１０６）。また、報知部１７は、センサ部５ごとに設けられるため、それぞれのセンサ部５に対する結果が、それぞれの報知部１７で表示される。
【００７０】
一方、測定傾斜値が基準傾斜値に対して所定の範囲内（±α）ではない場合、制御部２３は、得られた測定傾斜値が、基準傾斜値＋αを超えているかを判定する（ステップ１０４）。
【００７１】
ここで、測定傾斜値＞基準傾斜値＋αである場合とは、測定傾斜値が基準傾斜値に対して許容誤差以上プラス側に傾斜していることを意味する。逆に、測定傾斜値＞基準傾斜値＋αではない場合とは、測定傾斜値＜基準傾斜値−αの場合であり、測定傾斜値が基準傾斜値に対して許容誤差以上マイナス側に傾斜していることを意味する。すなわち、ステップ１０４においては、基準傾斜値に対して測定傾斜値の正負が判定される。
【００７２】
ステップ１０４で判定した結果、測定傾斜値＞基準傾斜値＋αである場合には、制御部２３は、測定傾斜値＞基準傾斜値＋α＋βであるかどうかを判定する（ステップ１０５）。ここで、βは、測定傾斜値が基準傾斜値に近づいたことを示す範囲であり、予め設定されている。なお、βは、常に一定であっても良く、ステップ１００において設定可能であってもよい。また、通常調整モードと高精度調整モードとでβの値を変えてもよい。また、βに代えてαを用いてもよい。
【００７３】
ここで、測定傾斜値＞基準傾斜値＋α＋βである場合とは、測定傾斜値が基準傾斜値に対する許容誤差以上プラス側に傾斜しおり、かつ、測定傾斜値が、許容誤差範囲からβ以上離れていることを意味する。逆に、測定傾斜値＞基準傾斜値＋α＋βではない場合とは、基準傾斜値＋α＋β≧測定傾斜値＞基準傾斜値＋αの場合である。すなわち、測定傾斜値が基準傾斜値に対して許容誤差以上プラス側に傾斜しているが、基準傾斜値の許容誤差範囲に対してβ以下のずれであることを意味する。
【００７４】
なお、測定傾斜値＞基準傾斜値＋α＋βである場合、制御部２３は、図１１（ｂ）に示すように、プラス側ランプ１５ｃを連続点灯する（ステップ１０７）。すなわち、測定傾斜値が基準傾斜値に対して所定（α＋β）以上離れている際には、プラス側ランプ１５ｃが連続点灯し、作業者に、測定傾斜値が基準傾斜値に対してプラス側に差が大きいことを報知する。
【００７５】
また、測定傾斜値＞基準傾斜値＋α＋βではない場合には、制御部２３は、図１１（ｃ）に示すように、プラス側ランプ１５ｃを点滅する（ステップ１０６）。すなわち、測定傾斜値が基準傾斜値に対して許容誤差以上プラス側に傾斜しているが、基準傾斜値（適切範囲）からのずれ量が所定（β）以下である際には、プラス側ランプ１５ｃが点滅し、作業者に、測定傾斜値が基準傾斜値に対してプラス側に傾斜しているが、それらの差が小さく、適切値に近いことを報知する。
【００７６】
一方、ステップ１０４において、測定傾斜値＞基準傾斜値＋αではない場合には、制御部２３は、基準傾斜値−α−β＞測定傾斜値であるかどうかを判定する（ステップ１０９）。
【００７７】
ここで、基準傾斜値−α−β＞測定傾斜値である場合とは、測定傾斜値が基準傾斜値に対する許容誤差以上マイナス側に傾斜しおり、かつ、測定傾斜値が、許容誤差範囲からβ以上離れていることを意味する。逆に、基準傾斜値−α−β＞測定傾斜値ではない場合とは、基準傾斜値−α＞測定傾斜値≧基準傾斜値−α−βの場合である。すなわち、測定傾斜値が基準傾斜値に対して許容誤差以上マイナス側に傾斜しているが、基準傾斜値の許容誤差範囲に対してβ以下のずれであることを意味する。
【００７８】
ステップ１０９で判定した結果、基準傾斜値−α−β＞測定傾斜値である場合、制御部２３は、マイナス側ランプ１５ｂを連続点灯する（ステップ１１１）。すなわち、測定傾斜値が基準傾斜値に対して所定（α＋β）以上離れている際には、マイナス側ランプ１５ｂが連続点灯し、作業者に、測定傾斜値が基準傾斜値に対してマイナス側に差が大きいことを報知する。
【００７９】
また、基準傾斜値−α−β＞測定傾斜値ではない場合、制御部２３は、マイナス側ランプ１５ｂを点滅する（ステップ１１０）。すなわち、測定傾斜値が基準傾斜値に対して許容誤差以上マイナス側に傾斜しているが、基準傾斜値（適切範囲）からのずれ量が所定（β）以下である際には、マイナス側ランプ１５ｂが点滅し、作業者に、測定傾斜値が基準傾斜値に対してマイナス側に傾斜しているが、それらの差が小さく、適切値に近いことを報知する。
【００８０】
ここで、作業者は、報知部１７に応じて、遊技機２６の傾斜を調整する。例えば、遊技機２６の下部は枠体に固定され、遊技機２６の上部は、角度調整部材を介して枠体に固定される。角度調整部材には調整ネジが設けられ、ネジによって、枠体に対する遊技機２６の位置（傾き）を調整可能である。なお、角度調整部材は、遊技機２６の幅方向の両側に一対配置される。このため、遊技機２６の傾きを幅方向のそれぞれにおいて独立して調整することができる。
【００８１】
作業者は、報知部１７を見ながら、角度調整部材を操作し、遊技機２６の傾斜を調整する。なお、遊技機２６の幅方向の２カ所で傾斜を測定している。このため、作業者は、それぞれの側の測定傾斜値に対応する角度調整部材を操作して、遊技機２６の傾きを幅方向のそれぞれにおいて個別に調整することができる。
【００８２】
この際、傾斜計１は、遊技機２６に固定されているため、角度調整部材の操作を両手で行うことができる。また、報知部１７の表示によって、角度調整部材を、いずれの方向に調整すればよいか、また、どの程度調整すればよいか即座に判断することができる。
【００８３】
作業者は、全てのセンサ部５の測定傾斜値が適切範囲に入るまで、左右の角度調整部材の調整を行う。全てのセンサ部５において、測定傾斜値が適切値となった段階で、遊技機２６の傾斜調整作業が終了する。
【００８４】
なお、作業者による調整作業が終了し、測定が終了するまで、以上の制御が繰り返される（ステップ１１２）。作業者は、全ての調整が終了後、解除部１１を操作して、傾斜計１を遊技機２６より取り外す。また、必要に応じて、他の遊技機２６へ傾斜計１を取り付け、傾斜調整を繰り返す。この際、傾斜計１は、遊技機２６の盤面ではなく、透明板２５に固定されるため、傾斜測定の度に、透明板２５を開け閉めする必要がない。
【００８５】
なお、マイナス側ランプ１５ｂおよびプラス側ランプ１５ｃは、連続点灯と点滅の２段階の点灯方法の違いによって、基準傾斜値に対する測定傾斜値の差の程度を表示したが、本発明はこれに限られない。例えば、ランプの数を増やして、多段階で基準傾斜値に対する測定傾斜値の差の程度の表示を行ってもよい。また、マイナス側ランプ１５ｂおよびプラス側ランプ１５ｃの点滅速度を変化させて、例えば、基準傾斜値に対する測定傾斜値の差が小さくなるにつれて、点滅速度を連続的にまたは段階的に変化させてもよい。
【００８６】
以上説明したように、本実施の形態によれば、傾斜計１を遊技機２６の透明板２５に固定することができるため、遊技機２６の角度調整作業を両手で行うことができる。この際、固定部３の操作が、固定用レバー９と解除部１１によって行うことができるため、操作が容易である。また、吸盤２７の前面の略中央部を前方に膨らませておくことで、解除部１１の操作によって、確実に吸盤２７の吸着を解除することができる。
【００８７】
また、傾斜計１は透明板２５の傾斜を測定することができるため、透明板２５を開け閉めする必要がない。また、盤面上に傾斜計１を接触させる必要がないため、誤って釘に触れてしまうことがない。また、盤面と比較して透明板２５の表面には液晶画面等の障害物がないため、傾斜計１を透明板２５の略中央に取り付けることができる。また、固定部３の固定方向とセンサ部５の測定方向とが同一方向であるため、取り付けが容易である。
【００８８】
また、センサ部５が傾斜計本体２に対して揺動可能に弾性部材２１によって支持されるため、確実にセンサ部５を測定対象面に当接することができる。また、センサ部５は、固定部３よりも前方に突出しているため、センサ部５が測定面から浮き上がることを防止することができる。この際、センサ部５の表面に３か所の突起５ａを設けることで、突起５ａによって精度よく、測定面の傾斜をセンサ部５で測定することができる。
【００８９】
また、センサ部５が幅方向に複数形成され、センサ部５が略水平方向となるように傾斜計１を遊技機２６に固定することで、遊技機２６の幅方向の複数個所で傾斜を一度に測定することができる。このため、遊技機２６の捻じれや歪みなどによる左右の傾斜バラつきにも対応可能であり、精度のよい遊技機２６の傾斜測定を行うことができる。
【００９０】
また、基準傾斜値に対する測定傾斜値の傾き方向が、マイナス側ランプ１５ｂおよびプラス側ランプ１５ｃの点灯によって報知されるため、遊技機２６をいずれの方向に調整すればよいかを容易に知ることができる。
【００９１】
また、マイナス側ランプ１５ｂおよびプラス側ランプ１５ｃは、連続点灯と点滅の点灯方法の違いによって、基準傾斜値に対する測定傾斜値の差の程度が報知されるため、どの程度、遊技機２６を調整すればよいか即座に判断することができる。
【００９２】
次に、第２の実施の形態について説明する。図１２（ａ）、図１２（ｂ）は、傾斜計１ａを示す正面図である。なお、以下の説明において、第１の実施形態と同一の機能を奏する構成については、図１〜図１１と同一の符号を付し、重複する説明を省略する。
【００９３】
傾斜計１ａは、センサ部５が、傾斜計本体２に対してアーム３１を介して連結される。アーム３１は、傾斜計本体２の両側にそれぞれ設けられ、それぞれのアーム３１に、センサ部５が設けられる。
【００９４】
アーム３１は、傾斜計本体２およびセンサ部５に対して回動可能に取り付けられる。このため、図１２（ａ）に示すように、アーム３１を開くことで（図中矢印Ｅ）、センサ部５同士の間隔を広げることができる。また、図１２（ｂ）に示すように、アーム３１を閉じることで（図中矢印Ｆ）、センサ部５同士の間隔を狭くすることができる。なお、図１２（ａ）、図１２（ｂ）のそれぞれの位置でセンサ部５が固定される。
【００９５】
傾斜計１の傾斜計本体２には、固定部３が複数個所配置される。固定部３は、センサ部５の併設方向に対して、略直交する方向に併設される。なお、固定部３は１カ所であってもよい。固定部３が複数配置された場合でも、同一の固定用レバー９および解除部１１によって操作可能である。
【００９６】
傾斜計１ａは、傾斜計１と同様に使用することができる。この際、センサ部５の間隔を変化させることができるため、遊技機２６によって、使用状態を選択することができる。
【００９７】
例えば、透明板２５に障害物などがない場合には、センサ部５同士を離して傾斜計１ａを遊技機２６に固定する。このようにすることで、遊技機２６の幅方向の端部近傍でそれぞれの傾斜を計測することができる。このため、より精度よく遊技機２６の傾斜を計測することができる。
【００９８】
一方、遊技機２６によっては、透明板２５の外周に、意匠性向上のための装飾が施される場合がある。このような場合には、当該装飾の凹凸が、測定の障害物となり、センサ部５を広げた状態では、透明板２５に設置することができない場合がある。このような場合には、図１２（ｂ）に示すように、センサ部５を狭くすることで、当該遊技機２６に対しても、傾斜計１ａを設置することができる。
【００９９】
第２の実施形態によれば、第１の実施形態と同様の効果を得ることができる。また、センサ部５の間隔を変化させることができるため、遊技機２６ごとに適切な状態で傾斜測定を行うことができる。
【０１００】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【０１０１】
例えば、センサ部５は、３か所以上であってもよく、３か所のセンサ部５を遊技機２６に対して略水平方向に併設するように固定した際、真ん中のセンサ部５で測定された傾斜値をその遊技機２６の傾斜値として管理するようにしてもよい。
【０１０２】
また、報知部１７は、複数のランプで構成したが、本発明はこれには限られない。例えば、音によって、測定傾斜値と基準傾斜値との差や方向を報知してもよく、または、ディスプレイ１３を用いてもよい。
【０１０３】
また、固定部３として、吸盤２７である例について示したが、傾斜計を遊技機２６に対して固定可能であれば、他の機構であってもよい。例えば、固定部３を遊技機２６に対して機械的に固定する突起やガイドなどの構造であってもよい。この場合には、固定部３の固定方向とセンサ部５の測定方向とが異なる方向であってもよい。
【０１０４】
また、遊技機２６としては、パチンコ台には限られず、例えばスロット台などにも適用可能である。
【符号の説明】
【０１０５】
１、１ａ………傾斜計
２………傾斜計本体
３………固定部
５………センサ部
５ａ………突起
７………取手部
９………固定用レバー
１１………解除部
１３………ディスプレイ
１５ａ………適切値ランプ
１５ｂ………マイナス側ランプ
１５ｃ………プラス側ランプ
１７………報知部
１９………操作部
２１………弾性部材
２３………制御部
２５………透明板
２６………遊技機
２７………吸盤
２９………可動部
３１………アーム
【図１】
0006799914.tif 000002
【図２】
0006799914.tif 000003
【図３】
0006799914.tif 000004
【図４】
0006799914.tif 000005
【図５】
0006799914.tif 000006
【図６】
0006799914.tif 000007
【図７】
0006799914.tif 000008
【図８】
0006799914.tif 000009
【図９】
0006799914.tif 000010
【図１０】
0006799914.tif 000011
【図１１】
0006799914.tif 000012
【図１２】
0006799914.tif 000013